(57)【要約】【課題】ユーザの操作によるウィンドウサイズの変更で、表示する情報量を自由に変更可能とするプラント監視装置を得る。【解決手段】プラント監視装置においては、プラント機器を監視するための情報を表示する各種ウィンドウが表示されるが、その表示されたサマリウィンドウ１２のウィンドウサイズを、マウスのドラッグ操作により拡大させた場合に、拡大に伴って生じる領域２３に、予め自由に定義した情報を追加表示するようにした。【選択図】図５
2015087778.tif 000002
【特許請求の範囲】
【請求項１】
プラント機器を監視するための情報をウィンドウに表示するプラント監視装置であって、
ユーザの操作に応じて、上記ウィンドウを拡大する手段、
及び拡大されたウィンドウに予め定義した情報を追加表示する手段を備えたことを特徴とするプラント監視装置。
【請求項２】
上記拡大されたウィンドウに予め定義した情報を追加表示する手段は、
上記ウィンドウの拡大にしたがって徐々に上記追加表示する情報量を増加させる第一の機能と、
上記ウィンドウの拡大により表示領域が確保された段階で、上記予め定義した情報を一挙に追加表示する第二の機能とを選択可能に構成されていることを特徴とする請求項１記載のプラント監視装置。
【請求項３】
プラント機器を監視するための情報をウィンドウに表示するプラント監視装置であって、
ユーザの操作に応じて、上記ウィンドウを縮小する手段、
及び縮小されたウィンドウから予め定義された情報を削除する手段を備えたことを特徴とするプラント監視装置。
【請求項４】
上記縮小されたウィンドウから予め定義された情報を削除する手段は、
上記ウィンドウの縮小にしたがって徐々に上記削除する情報量を増加させる第三の機能と、
上記ウィンドウの縮小により表示領域が確保できなくなった段階で、上記予め定義された情報を一挙に削除する第四の機能とを選択可能に構成されていることを特徴とする請求項３記載のプラント監視装置。
【請求項５】
プラント機器を監視するための情報をウィンドウに表示するプラント監視装置であって、
ユーザの操作に応じて、上記ウィンドウを拡大する手段、
及び拡大されたウィンドウで、予め定義した情報の文字サイズを拡大表示する手段を備えたことを特徴とするプラント監視装置。
【請求項６】
プラント機器を監視するための情報をウィンドウに表示するプラント監視装置であって、
ユーザの操作に応じて、上記ウィンドウを縮小する手段、
及び縮小されたウィンドウで、予め定義された情報の文字サイズを縮小表示する手段を備えたことを特徴とするプラント監視装置。
【請求項７】
上記拡大されたウィンドウに予め定義した情報を追加表示する手段は、
上記追加表示した情報を所定時間、強調表示することを特徴とする請求項１または請求項２記載のプラント監視装置。
【請求項８】
上記ウィンドウが所定サイズ以上に拡大された場合に、上記ウィンドウに上記ウィンドウを閉じるためのボタンを表示する手段を備えたことを特徴とする請求項１または請求項２または請求項７記載のプラント監視装置。
【発明の詳細な説明】
【技術分野】
【０００１】
この発明は、プラントの状態監視や機器の操作などのためにウィンドウ表示を行う水処理プラント施設向けのプラント監視装置に関するものである。
【背景技術】
【０００２】
従来のプラント監視装置においては、以下のとおりのウィンドウ操作が行われていた。
まず、スクロールバーのないウィンドウについて述べる。
マウスのドラッグ操作でウィンドウサイズを拡大し、これに伴いウィンドウ上の表示領域が増大しても、表示する情報量が増えることはなく、何も表示されない、空白エリアが増えるだけであった。
同様に、マウスのドラッグ操作でウィンドウサイズを縮小し、表示領域が減少した場合には、ウィンドウ上にスクロールバーが表示されることで、ウィンドウの一部が隠される（可視範囲外となる）か、表示されている全情報が縮小表示されるかのいずれかであった。
また、これらの動作は、アプリケーションで統一されていた。（特許文献１参照）
【０００３】
次に、スクロールバーのあるウィンドウについて述べる。
マウスのドラッグ操作でウィンドウサイズを拡大し、これに伴い表示領域が増大しても、スクロールバーによって隠されていた（可視範囲外となっていた）領域に表示されていた情報が表示されるだけで、新たな（まだウィンドウ上に表示されていない）情報をウィンドウ上に追加表示することはできなかった。
同様に、マウスのドラッグ操作でウィンドウサイズを縮小しても、スクロールバーによって隠される領域が増えるだけで、限られた表示領域にどのような情報を表示するか、ユーザが自由にカスタマイズすることはできなかった。（特許文献２参照）
【先行技術文献】
【特許文献】
【０００４】
【特許文献１】特開平７−１８２１３２号公報（第８〜９頁、第１図）
【特許文献２】特開２００９−２５９２０号公報（第１１〜１２頁、第３図）
【発明の概要】
【発明が解決しようとする課題】
【０００５】
従来のプラント監視装置では、ウィンドウ上に表示する情報量を自由にカスタマイズする場合、定義の変更、アプリケーションの再起動などが必要である。
アプリケーションの再起動による装置の停止中は、プラントからの収集データが欠測することや、アラームの発生を検知できなくなる等、プラント監視機能が停止してしまう問題点があった。
【０００６】
この発明は、上述のような課題を解決するためになされたものであり、ユーザの操作によるウィンドウサイズの変更で、表示する情報量を自由に変更可能とするプラント監視装置を得ることを目的とする。
【課題を解決するための手段】
【０００７】
この発明に係わるプラント監視装置においては、プラント機器を監視するための情報をウィンドウに表示するプラント監視装置であって、ユーザの操作に応じて、ウィンドウを
拡大する手段、及び拡大されたウィンドウに予め定義した情報を追加表示する手段を備えたものである。
【発明の効果】
【０００８】
この発明によれば、プラント機器を監視するための情報をウィンドウに表示するプラント監視装置であって、ユーザの操作に応じて、ウィンドウを拡大する手段、及び拡大されたウィンドウに予め定義した情報を追加表示する手段を備えたので、ウィンドウの拡大のみで、表示する情報量を自由に増やすことができる。
【図面の簡単な説明】
【０００９】
【図１】この発明の実施の形態１によるプラント監視システムを示すシステム構成図である。
【図２】この発明の実施の形態１によるプラント監視システムの各種ウィンドウを示す図である。
【図３】この発明の実施の形態１によるプラント監視システムのトレンドウィンドウの空白の領域を示す図である。
【図４】この発明の実施の形態１によるプラント監視システムのトレンドウィンドウの追加情報を示す図である。
【図５】この発明の実施の形態１によるプラント監視システムのサマリウィンドウの追加情報を示す図である。
【図６】この発明の実施の形態２によるプラント監視システムのトレンドウィンドウを示す図である。
【図７】この発明の実施の形態３によるプラント監視システムのサマリウィンドウを示す図である。
【図８】この発明の実施の形態３によるプラント監視システムの別のサマリウィンドウを示す図である。
【図９】この発明の実施の形態４によるプラント監視システムのサマリウィンドウを示す図である。
【図１０】この発明の実施の形態５によるプラント監視システムのサマリウィンドウを示す図である。
【図１１】この発明の実施の形態６によるプラント監視システムのサマリウィンドウを示す図である。
【図１２】この発明の実施の形態６によるプラント監視システムの別のサマリウィンドウを示す図である。
【図１３】この発明の実施の形態６によるプラント監視システムのさらに別のサマリウィンドウを示す図である。
【図１４】この発明の実施の形態７によるプラント監視システムのサマリウィンドウを示す図である。
【発明を実施するための形態】
【００１０】
実施の形態１．
以下、この発明の実施の形態１を図に基づいて説明する。
図１は、この発明の実施の形態１によるプラント監視システムを示すシステム構成図である。
図１において、プラント監視システムは、次のように構成されている。
プラント機器１は、水処理プラント施設を構成する機器である。制御装置２は、プラント機器１を制御する。監視装置３は、プラント制御バス５を介して制御装置２と接続され、制御装置２が収集したプラント機器１の状態を示すデータを取得して、プラント機器１の状態を監視、制御する。表示端末４は、監視装置３に接続され、プラント機器１の状態を表示する。
【００１１】
図２は、この発明の実施の形態１によるプラント監視システムの各種ウィンドウを示す図である。
図２において、プラント監視を行うために、表示端末４上に表示される各種ウィンドウを示す。これらは、表示端末４上に、ベース画面として表示されるものではなく、ウィンドウ化された状態で表示される。
ここでは、各種トレンドデータをグラフ表示するトレンドウィンドウ１１と、プラント上で発生、または回復したアラーム情報や、ガイダンス情報、および操作の履歴を一覧表示するサマリウィンドウ１２と、プラントの状態監視や、設定値の変更などの操作を行うユーザグラフィックウィンドウ１３とを、表示頻度が高いウィンドウ例として示している。
【００１２】
図３は、この発明の実施の形態１によるプラント監視システムのトレンドウィンドウの空白の領域を示す図である。
図３（ａ）はドラッグして表示領域拡大する図、図３（ｂ）は空白の領域が出現した図である。
図３において、１１は図２におけるものと同じものである。図３（ｂ）では領域２１は空白になっている。
【００１３】
図４は、この発明の実施の形態１によるプラント監視システムのトレンドウィンドウの追加情報を示す図である。
図４（ａ）はドラッグして表示領域拡大する図、図４（ｂ）は情報が追加された図である。
図４において、１１は図２におけるものと同じものである。図４（ｂ）では領域２２に追加情報が表示される。図４では、トレンドデータａ、ｂ、ｃが表示されるとともに、図４（ａ）では左側にトレンドデータｂの工学値スケール、図４（ｂ）では左側にトレンドデータｂの工学値スケール、右側の領域２２に追加情報としてトレンドデータａの工学値スケールが表示されている。
【００１４】
図５は、この発明の実施の形態１によるプラント監視システムのサマリウィンドウの追加情報を示す図である。
図５（ａ）はドラッグして表示領域拡大する図、図５（ｂ）は情報が追加された図である。
図５において、１２は図２におけるものと同じものである。図５（ｂ）では領域２３に追加情報が表示されている。
【００１５】
次に、動作について説明する。
実施の形態１は、ユーザの操作に応じて、ウィンドウを拡大する機能（手段）により拡大されたウィンドウに、予め定義した情報を追加表示する機能（手段）についてのものである。
本発明の対象となる、トレンドウィンドウ１１、サマリウィンドウ１２、ユーザグラフィックウィンドウ１３等のウィンドウは、ウィンドウの枠をマウスでドラッグすることで、ウィンドウのサイズを拡大、縮小することが可能なウィンドウであることを前提とする。
【００１６】
まず、図３を用いて説明する。
スクロールバーのないウィンドウでは、ウィンドウの枠をマウスでドラッグして、ウィンドウのサイズを拡大すると、何も表示されない空白の領域２１がウィンドウ上に出現する。
なお、スクロールバーのあるウィンドウでも、ウィンドウのサイズに関らず、可視範囲内に表示する情報量を固定とした場合には、同様に空白の領域が出現する。
【００１７】
本発明では、空白の領域２１に、まだウィンドウ上（可視範囲外も含む）に表示されていない別の情報を新たに表示することを可能にする。
例えば、図４に示すように、トレンドウィンドウ１１のウィンドウサイズを拡大することでできた新たな領域２２に、追加情報を表示する。図４では、追加情報として、任意のトレンドデータ（図４ではトレンドデータａ）の工学値スケールを表示している。
予め、表示する領域が拡大された場合に、何を追加で表示するかを設定しておくことで、マウスのドラッグ操作によるウィンドウサイズの拡大のみで、表示する情報量を自動的に増やすことができる。
【００１８】
図５は、別の例を示し、サマリウィンドウ１２のウィンドウサイズを拡大することでできた新たな表示の領域２３に、追加情報を表示する。この場合、任意（図５では、設備名称）の項目を追加で表示することができる。
この状態で、さらにウィンドウの表示領域を拡大すると、さらに別の項目を追加で表示する。この操作は、ウィンドウの最大のサイズ（モニタのサイズ）まで繰り返すことができる。
【００１９】
すなわち、表示領域が拡大された場合に、何をどの順番で追加表示するか、予め設定しておくことで、マウスのドラッグ操作によるウィンドウサイズの拡大のみで、表示する情報量を自動的にカスタマイズできる。
【００２０】
実施の形態１によれば、マウスのドラッグによるウィンドウサイズの拡大のみで、表示する情報量を自由に増やすこと（カスタマイズ）ができ、操作性の高いプラント監視装置を得ることができる。
これにより、プラントの運転効率も向上することができる。
【００２１】
実施の形態２．
以下に、この発明の実施の形態２を図に基づいて説明する。
図６は、この発明の実施の形態２によるプラント監視システムのトレンドウィンドウを示す図である。
図６（ａ）はウィンドウサイズ縮小前の図、図６（ｂ）は情報が削除された図である。
図６において、１１は図２におけるものと同じものである。図６（ａ）では、トレンドデータａ、ｂ、ｃが表示されるとともに、左側にトレンドデータｂの工学値スケール、右側にトレンドデータａの工学値スケールが表示されている。図６（ｂ）では、表示領域が縮小されたため、両側の工学値スケールが削除され、トレンドデータａ、ｂ、ｃのみが表示されている。
【００２２】
実施の形態１では、ウィンドウサイズの拡大により、表示される情報量を増加させる機能について述べたが、実施の形態２は、ユーザの操作に応じて、ウィンドウを縮小する機能（手段）により縮小されたウィンドウから予め定義した情報を削除する機能（手段）についてのものである。
実施の形態２では、予め、ウィンドウサイズが縮小された場合に削除する項目を設定しておく。例えば、図６では、トレンドデータｂの工学値スケールと、トレンドデータａの工学値スケールの２つを設定しておく。
図６（ａ）のようにウィンドウサイズを縮小することで、図６（ｂ）のように、トレンドデータｂの工学値スケールとトレンドデータａの工学値スケールをウィンドウ上から削除する。
【００２３】
実施の形態２によれば、マウスのドラッグ操作によるウィンドウサイズの縮小のみで、表示する情報量を減らす（限定する）ことができ、例えば、プラント監視を行う上で、参考程度でしかない情報を表示するウィンドウでは、必要最低限の情報だけに限定して、ウィンドウに表示することで、プラントの運転効率を向上することができる。
【００２４】
実施の形態３．
以下に、この発明の実施の形態３を図に基づいて説明する。
図７は、この発明の実施の形態３によるプラント監視システムのサマリウィンドウを示す図である。
図７において、１２は図２におけるものと同一のものである。領域２４は、初期のウィンドウ表示状態から表示領域が少しでも広がった時点で最小限の情報から徐々に表示する領域である。
【００２５】
図８は、この発明の実施の形態３によるプラント監視システムの別のサマリウィンドウを示す図である。
図８（ａ）はドラッグして表示領域拡大する図、図８（ｂ）は予め項目の表示幅を定義しておき、定義した幅の分までウィンドウサイズが広がった時点で、当該項目の情報を表示する図である。
図８において、１２は図２におけるものと同一のものである。領域２５は、ウィンドウサイズが定義した幅まで広がった時点で、該当する項目の情報を表示する領域である。
【００２６】
実施の形態１では、ウィンドウサイズの拡大により、表示する情報が自動的に増える機能について述べたが、実施の形態３は、実施の形態１に対し、追加情報の表示方法をユーザが選択（設定）できるように構成することで、より操作性の優れたプラント監視システムを得る。
すなわち、実施の形態３では、図７のように、ウィンドウの拡大にしたがって徐々に追加表示する情報量を増加させる第一の機能と、図８のように、ウィンドウの拡大により表示領域が確保された段階で、予め定義した情報を一挙に追加表示する第二の機能とをユーザが選択可能（予め設定）に構成されている。
【００２７】
なお、本実施の形態３は、ウィンドウ縮小についても同様に表示方法を選択することができる。
すなわち、ウィンドウの縮小にしたがって徐々に削除する情報量を増加させる第三の機能と、ウィンドウの縮小により表示領域が確保できなくなった段階で、予め定義された情報を一挙に削除する第四の機能とを選択可能に構成されている。
この場合、例えば図８では、図８（ｂ）から図８（ａ）へ移行し、図７では、領域２４が徐々に縮小して、上述の図８、図７で拡大について説明したのと逆の動きをする。
【００２８】
次に、図７について説明する。
ウィンドウサイズが少しでも拡大された場合に、まず追加で表示する情報の一部を領域２４に表示し、そこからウィンドウサイズが大きくなるにつれ、表示量を増やしていく方法である。
この方法を用いることで、ウィンドウサイズを少ししか拡大できない場合でも、初期の表示状態より、多くの情報をウィンドウ上に同時に表示することができる。
【００２９】
次に、図８について説明する。
図８（ａ）の状態からウィンドウサイズが拡大された場合に、追加で表示する情報の表示サイズを予め設定しておき、図８（ｂ）のように、ウィンドウサイズの拡大によって新たに追加された領域２５が、当該サイズを上回った場合に、追加の情報を表示する方法である。
図７の方法のように、一部の表示だけでは、何の意味も持たない情報や、一部だけを表示することで、却ってユーザに誤解を与えてしまうような情報については、図８の方法を選択することができる。
【００３０】
実施の形態３によれば、ウィンドウサイズの増減に合わせて、追加する情報、または削除する情報の表示の仕方を選択可能に構成したので、情報の内容を考慮して適切な表示方法を選択することができる。
【００３１】
実施の形態４．
以下に、この発明の実施の形態４を図に基づいて説明する。
図９は、この発明の実施の形態４によるプラント監視システムのサマリウィンドウを示す図である。
図９（ａ）はドラッグして表示領域拡大する図、図９（ｂ）は予め定義した項目の文字サイズを拡大する図である。
図９において、１２は図２におけるものと同一のものである。領域２６は、文字サイズを拡大表示する領域である。
【００３２】
実施の形態１では、ウィンドウサイズの拡大により、表示する情報が自動的に増える機能について述べたが、実施の形態４は、ウィンドウサイズの拡大により、予め定義した任意の情報の文字サイズが、自動的に拡大する機能（文字サイズを拡大表示する手段）についてのものである。
図９に示すように、ウィンドウサイズが拡大された場合に、どの情報の文字サイズを拡大するのか、および拡大後の文字サイズを予め定義しておくことで（複数設定する場合には、優先度も併せて定義する）、ウィンドウサイズを拡大すると、領域２６に示すように、定義していた情報の文字サイズが、自動的に拡大される。
また、文字サイズが拡大されることにより、当該文字の表示エリア（縦横幅）も自動的に拡大される。
【００３３】
実施の形態４によれば、マウスのドラッグ操作によるウィンドウサイズの拡大のみで、定義していた情報の文字サイズを拡大することができる。
文字サイズの拡大は、強調表示の意味をもち、例えば、プラント監視を行う上で特に重要な情報や、多くの作業員で共有しておきたい情報を、一目で判断、理解することが可能になる。つまり、プラントの運転効率が向上する。
【００３４】
実施の形態５．
以下に、この発明の実施の形態５を図に基づいて説明する。
図１０は、この発明の実施の形態５によるプラント監視システムのサマリウィンドウを示す図である。
図１０（ａ）はドラッグして表示領域を縮小する図、図１０（ｂ）は予め定義した項目の文字サイズを縮小した図である。
図１０において、１２は図２におけるものと同一のものである。領域２７は、文字サイズを縮小表示する領域である。
【００３５】
実施の形態５は、ウィンドウサイズの縮小により、任意の情報の文字サイズを縮小する機能（文字サイズを縮小表示する手段）についてのものである。
図１０に示すように、予めウィンドウサイズが縮小された場合に、どの情報の文字サイズを縮小するのか、および縮小後の文字サイズも定義しておくことで（複数設定する場合には、優先度も併せて定義する）、図１０（ａ）でウィンドウサイズを縮小すると、図１０（ｂ）の領域２７のように、当該情報の文字サイズが、自動的に縮小される。
【００３６】
実施の形態５によれば、マウスのドラッグ操作によるウィンドウサイズの縮小のみで、予め定義した情報の文字サイズを縮小表示することができる。
例えば、プラント監視を行う上で、文字が見えなくても問題とならないような情報（関連情報のリンク先の表示など）については、可能な限り縮小表示することで、ユーザが必要とする情報だけを、即時に認識できるようになる。
【００３７】
実施の形態６．
以下に、この発明の実施の形態６を図に基づいて説明する。
図１１は、この発明の実施の形態６によるプラント監視システムのサマリウィンドウを示す図である。
図１１（ａ）はドラッグして表示領域を拡大する図、図１１（ｂ）は追加情報を表示後、一定期間フリッカ表示する図である。
図１１において、１２は図２におけるものと同一のものである。領域２８は、追加情報の表示後、一定期間フリッカ表示する領域である。
【００３８】
図１２は、この発明の実施の形態６によるプラント監視システムの別のサマリウィンドウを示す図である。
図１２（ａ）はドラッグして表示領域を拡大する図、図１２（ｂ）は追加情報を表示後、一定期間文字色を変えて表示する図である。
図１２において、１２は図２におけるものと同一のものである。領域２９は、追加情報の表示後、一定期間文字色を変えて表示する領域である。
【００３９】
図１３は、この発明の実施の形態６によるプラント監視システムのさらに別のサマリウィンドウを示す図である。
図１３（ａ）はドラッグして表示領域を拡大する図、図１３（ｂ）は追加情報を表示後、一定期間字体を変えて表示する図である。
図１３において、１２は図２におけるものと同一のものである。領域３０は、追加情報の表示後、一定期間字体を変えて表示する領域である。
【００４０】
実施の形態１では、ウィンドウサイズの拡大により、表示する情報量が自動的に増える機能について述べたが、実施の形態６は、ウィンドウサイズの拡大により、自動的に追加された情報に対し、初期の強調表示方法を定義する機能についてのものである。
例えば、図１１では、追加で表示された項目に対し、表示後一定の期間、フリッカ表示する。
また、図１２では、追加で表示された項目に対し、表示後一定の期間、文字色を変えて表示する。
さらにまた、図１３では、追加で表示された項目に対し、表示後一定の期間、字体や文字の太さを変えて表示する。
これらは全て、予め表示方法およびその表示期間を定義（選択）しておくものとする。
【００４１】
実施の形態６によれば、マウスのドラッグ操作によるウィンドウサイズの拡大のみで、表示する情報量を自由に増やすこと（カスタマイズ）ができる。
また、追加された情報の表示方法を、その他のものと変えることで、ユーザにどの項目が追加されたのかを知らせることができる。
【００４２】
実施の形態７．
以下に、この発明の実施の形態７を図に基づいて説明する。
図１４は、この発明の実施の形態７によるプラント監視システムのサマリウィンドウを示す図である。
図１４（ａ）はドラッグして表示領域を拡大する図、図１４（ｂ）は追加情報とともにウィンドウを閉じるためのボタンを表示する図である。
図１４において、１２は図２におけるものと同一のものである。ボタン３１は、ウィンドウ下部に表示されたウィンドウを閉じるためのボタンである。
【００４３】
実施の形態１では、ウィンドウサイズの拡大により表示する情報量が自動的に増える機能について述べたが、実施の形態７は、ウィンドウのサイズが、一定サイズ以上まで拡大した場合に、ウィンドウの任意の位置に、自動的にウィンドウを「閉じる」ためのボタン３１を表示する機能（手段）についてのものである。
図１４では、ウィンドウの初期表示時は、右上に「閉じる」ボタン（×ボタン）が表示され、ウィンドウサイズが拡大されると、図１４（ｂ）のように、右下に「閉じる」ためのボタン３１が新たに表示されるようになっている。
【００４４】
実施の形態７によれば、マウスのドラッグ操作によるウィンドウサイズの拡大のみで、ウィンドウ上に「閉じる」ボタンを自動的に追加することができる。
サイズの大きいウィンドウにおいては、ウィンドウ上に複数個の「閉じる」ボタンを設置することで、ウィンドウを閉じるときに、マウスの稼動距離を短くすることができる。
また、複数のモニタに跨ってウィンドウを表示するような場合（大画面表示や、マルチスクリーン表示など）は、ある特定のモニタが故障し、当該モニタ上に表示されていた「閉じる」ボタンの表示が消えてしまった場合にも、別のモニタ上に表示されている「閉じる」ボタンを押下することで、問題なくウィンドウを消去することができる。
【００４５】
なお、本発明は、その発明の範囲内において、各実施の形態を自由に組み合わせたり、各実施の形態を適宜、変形、省略することが可能である。
【符号の説明】
【００４６】
１ プラント機器、２  制御装置、３  監視装置、４  表示端末、５  プラント制御バス、
１１  トレンドウィンドウ、１２  サマリウィンドウ、
１３  ユーザグラフィックウィンドウ、２１〜３０  領域、３１  ボタン。
【図１】
2015087778.tif 000003
【図２】
2015087778.tif 000004
【図６】
2015087778.tif 000005
【図７】
2015087778.tif 000006
【図１０】
2015087778.tif 000007
【図３】
2015087778.tif 000008
【図４】
2015087778.tif 000009
【図５】
2015087778.tif 000010
【図８】
2015087778.tif 000011
【図９】
2015087778.tif 000012
【図１１】
2015087778.tif 000013
【図１２】
2015087778.tif 000014
【図１３】
2015087778.tif 000015
【図１４】
2015087778.tif 000016